(57)【要約】【課題】特定の入力用部材を用いての入力と他の入力とを区別することができる入力システム、入力装置、入力用部材及びプログラムを提供する。【解決手段】入力システム１０は、少なくとも２箇所以上の位置を同時に検知することができるタッチパネル１３０と、タッチパネル１３０により検知可能な少なくとも２つ以上の凸部３２２が予め定められた間隔ｄで配置されているペン３００と、タッチパネル１３０が２箇所以上の位置を検知した場合に、これらの２箇所以上の位置を構成する各位置の間の距離を演算し、演算された距離と間隔ｄとを比較して、入力がペン３００によってなされたか否かを判別する制御部２３０とを有する。【選択図】図８
2015082226.tif 000002
【特許請求の範囲】
【請求項１】
少なくとも２箇所以上の位置を同時に検知することができる検知部と、
前記検知部により検知可能な少なくとも２つ以上の被検知部が予め定められた間隔で配置されている入力用部材と、
前記検知部が２箇所以上の位置を検知した場合に、前記２箇所以上の位置を構成する各位置の間の距離を演算する演算手段と、
前記演算手段によって演算された距離と前記予め定められた間隔とを比較して、入力が前記入力用部材によってなされたか否かを判別する判別手段と、
を有する入力システム。
【請求項２】
前記判別手段は、
前記演算手段によって演算された距離が前記予め定められた間隔以下である場合には入力が前記入力用部材によってなされたと判別し、
前記演算手段によって演算された距離が前記予め定められた間隔よりも大きい場合に
入力が前記入力用部材以外によってなされたと判別する
請求項１記載の入力システム。
【請求項３】
前記判別手段は、前記検知部が１箇所の位置のみを検知した場合に、入力が前記入力用部材以外によってなされたと判別する請求項１又は２記載の入力システム。
【請求項４】
前記少なくとも２つ以上の被検知部は、それぞれが凸部からなる請求項１乃至３いずれか記載の入力システム。
【請求項５】
前記少なくとも２つ以上の被検知部は、それぞれが周囲とは導電性が異なる請求項１乃至４いずれか記載の入力システム。
【請求項６】
前記入力用部材は、把持部を有し、
前記把持部は太さの最大値が１５ｍｍ以下であって、前記少なくとも２つ以上の被検知部は５ｍｍ以下の間隔で配置されている請求項１乃至５いずれか記載の入力システム。
【請求項７】
画面を表示する表示部をさらに有する請求項１乃至６いずれか記載の入力システム。
【請求項８】
少なくとも２箇所以上の位置を同時に検知することができる検知部と、
前記検知部が２箇所以上の位置を検知した場合に、前記２箇所以上の位置を構成する各位置の間の距離を演算する演算手段と、
前記演算手段によって演算された距離と、入力用部材に配置されている前記検知部により検知可能な少なくとも２つ以上の被検知部の予め定められた間隔とを比較して、入力が前記入力用部材によってなされたか否かを判別する判別手段と、
を有する入力装置。
【請求項９】
画面を表示する表示部をさらに有する請求項８記載の入力装置。
【請求項１０】
少なくとも２つ以上の被検知部が予め定められた間隔で配置されていて、
前記２つ以上の被検知部は、少なくとも２箇所以上の位置を同時に検知することができる検知部により検知可能であって、
前記検知部が２箇所以上の位置を検知した場合に、前記２箇所以上の位置を構成する各位置の間の距離が演算手段により演算され、前記演算手段によって演算された距離と前記予め定められた間隔とを比較して、入力が当該入力用部材によってなされたか否かが判別手段によって判別される
入力用部材。
【請求項１１】
コンピュータに、
少なくとも２箇所以上の位置を同時に検知することができる検知部が２箇所以上の位置を検知した場合に、前記２箇所以上の位置を構成する各位置の間の距離を演算させ、
前記演算手段によって演算された距離と、入力用部材に配置されている前記検知部により検知可能な少なくとも２つ以上の被検知部の予め定められた間隔とを比較して、入力が前記入力用部材によってなされたか否かを判別させる
プログラム。
【発明の詳細な説明】
【技術分野】
【０００１】
本発明は、入力システム、入力装置、入力用部材及びプログラムに関する。
【背景技術】
【０００２】
特許文献１には、複数の電子ペンと、この電子ペン及び指によるタッチ操作が行われるタッチ面を備え、互いに並走する複数の送信電極および互いに並走する複数の受信電極格子状に配置されたパネル本体と、前記送信電極に対して駆動信号を印加する送信部と、
前記送信電極に印加する駆動信号に応じて前記受信電極から出力される応答信号を受信して電極交点ごとの検出データを出力する受信部と、前記受信部から出力される検出データに基づいてタッチ位置を検出する制御部と、を備え、前記送信部は、前記電子ペンと前記受信部との間でのペン識別信号の送受信を同期させるペン同期信号を前記送信電極に印加し、前記電子ペンは、タッチ操作時に前記送信電極のペン同期信号を検出するのに応じてペン識別信号を前記受信電極に送出し、前記制御部は、前記受信電極を介して前記受信部が受信したペン同期信号に基づいて、タッチ操作を行った指示物を判別することを特徴とするタッチパネルシステムが記載されている。
【０００３】
特許文献２には、画像を表示する表示装置と、前記表示装置の画面に画像を入力するための入力体と、前記入力体で入力した画像に関連する情報を取得する取得装置と、入力された画像と前記画像の関連情報を関連付けて管理する制御装置とを備え、
前記制御装置は、入力された画像を前記表示装置に表示させると共に、前記画像に対する操作があったときに、前記画像に関連する関連情報を報知することを特徴とする電子ボードシステムが記載されている。
【先行技術文献】
【特許文献】
【０００４】
【特許文献１】特開２０１２−２２５４３号公報
【特許文献２】特開２００９−５３９５６号公報
【発明の概要】
【発明が解決しようとする課題】
【０００５】
本発明は、特定の入力用部材を用いての入力と他の入力とを区別することができる入力システム、入力装置、入力用部材及びプログラムを提供することを目的とする。
【課題を解決するための手段】
【０００６】
請求項１に係る本発明は、少なくとも２箇所以上の位置を同時に検知することができる検知部と、前記検知部により検知可能な少なくとも２つ以上の被検知部が予め定められた間隔で配置されている入力用部材と、前記検知部が２箇所以上の位置を検知した場合に、前記２箇所以上の位置を構成する各位置の間の距離を演算する演算手段と、前記演算手段によって演算された距離と前記予め定められた間隔とを比較して、入力が前記入力用部材によってなされたか否かを判別する判別手段と、を有する入力システムである。
【０００７】
請求項２に係る本発明は、前記判別手段は、前記演算手段によって演算された距離が前記予め定められた間隔以下である場合には入力が前記入力用部材によってなされたと判別し、前記演算手段によって演算された距離が前記予め定められた間隔よりも大きい場合に
入力が前記入力用部材以外によってなされた判別する請求項１記載の入力システムである。
【０００８】
請求項３に係る本発明は、前記判別手段は、前記検知部が１箇所の位置のみを検知した場合に、入力が前記入力用部材以外によってなされたと判別する請求項１又は２記載の入力システムである。
【０００９】
請求項４に係る本発明は、前記少なくとも２つ以上の被検知部は、それぞれが凸部からなる請求項１乃至３いずれか記載の入力システムである。
【００１０】
請求項５に係る本発明は、前記少なくとも２つ以上の被検知部は、それぞれが周囲とは導電性が異なる請求項１乃至４いずれか記載の入力システムである。
【００１１】
請求項６に係る本発明は、前記入力用部材は、把持部を有し、前記把持部は太さの最大値が１５ｍｍ以下であって、前記少なくとも２つ以上の被検知部は５ｍｍ以下の間隔で配置されている請求項１乃至５いずれか記載の入力システムである
【００１２】
請求項７に係る本発明は、画面を表示する表示部をさらに有する請求項１乃至６いずれか記載の入力システムである
【００１３】
請求項８に係る本発明は、少なくとも２箇所以上の位置を同時に検知することができる検知部と、前記検知部が２箇所以上の位置を検知した場合に、前記２箇所以上の位置を構成する各位置の間の距離を演算する演算手段と、前記演算手段によって演算された距離と、入力用部材に配置されている前記検知部により検知可能な少なくとも２つ以上の被検知部の予め定められた間隔とを比較して、入力が前記入力用部材によってなされたか否かを判別する判別手段と、を有する入力装置である。
【００１４】
請求項９に係る本発明は、画面を表示する表示部をさらに有する請求項８記載の入力装置である。
【００１５】
請求項１０に係る本発明は、少なくとも２つ以上の被検知部が予め定められた間隔で配置されていて、前記２つ以上の被検知部は、少なくとも２箇所以上の位置を同時に検知することができる検知部により検知可能であって、前記検知部が２箇所以上の位置を検知した場合に、前記２箇所以上の位置を構成する各位置の間の距離が演算手段により演算され、前記演算手段によって演算された距離と前記予め定められた間隔とを比較して、入力が当該入力用部材によってなされたか否かが判別手段によって判別される入力用部材である。
【００１６】
請求項１１に係る本発明は、コンピュータに、少なくとも２箇所以上の位置を同時に検知することができる検知部が２箇所以上の位置を検知した場合に、前記２箇所以上の位置を構成する各位置の間の距離を演算させ、前記演算手段によって演算された距離と、入力用部材に配置されている前記検知部により検知可能な少なくとも２つ以上の被検知部の予め定められた間隔とを比較して、入力が前記入力用部材によってなされたか否かを判別させるプログラムである。
【発明の効果】
【００１７】
請求項１に係る本発明によれば、特定の入力用部材を用いての入力と他の入力とを区別することができる入力システムを提供することができる。
【００１８】
請求項２に係る本発明によれば、特定の入力用部材を用いての入力と他の入力とを区別することができる入力システムを提供することができる。
【００１９】
請求項３に係る本発明によれば、特定の入力用部材を用いての入力と他の入力とを区別することができる入力システムを提供することができる。
【００２０】
請求項４に係る本発明によれば、操作者が特定の入力用部材を識別しやすい入力システムを提供することができる。
【００２１】
請求項５に係る本発明によれば、特定の入力用部材を用いての入力と他の入力とを区別することができる入力システムを提供することができる。
【００２２】
請求項６に係る本発明によれば、本発明の構成を有しない場合に比べて、操作性の低下を抑制させることができる入力システムを提供することができる。
【００２３】
請求項７に係る本発明によれば、入力の結果を表示することができる入力システムを提供することができる。
【００２４】
請求項８に係る本発明によれば、特定の入力用部材を用いての入力と他の入力とを区別することができる入力装置を提供することができる。
【００２５】
請求項９に係る本発明によれば、入力の結果を表示することができる入力装置を提供することができる。
【００２６】
請求項１０に係る本発明によれば、特定の入力用部材を用いての入力と他の入力とを区別することができる入力用部材を提供することができる。
【００２７】
請求項１１に係る本発明によれば、特定の入力用部材を用いての入力と他の入力とを区別することができるプログラムを提供することができる。
【図面の簡単な説明】
【００２８】
【図１】本発明の第１の実施形態に係る入力システムを示す図である。
【図２】図１に示す入力システムが有する入力装置を示し、図１におけるＡ−Ａ面における断面を示す図である。
【図３】図２に示す入力装置の構成を示すブロック図である。
【図４】図１に示す入力システムが有する入力用部材を示し、（ａ）は入力用部材を正面から示す図であり、（ｂ）は（ａ）における矢印Ｂ−Ｂ方向から入力用部材を示す図である。
【図５】図１に示す入力システムにおいて、入力用部材により入力がなされる際における入力用部材と検知部との接触状態を説明する図である。
【図６】図２に示す入力装置に入力がなされる状態を示す第１の図であり、（ａ）は一般の入力用部材により入力がなされる状態を示す図であり、（ｂ）は１本の指を用いて入力がなされる状態を示す図であり、（ｃ）は２本の指を用いて入力がなされる状態を示す図であり、（ｄ）は一般の入力用部材と１本の指とを用いて入力がなされる状態を示す図である。
【図７】図２に示す入力装置に入力がなされる状態を示す第２の図であり、（ｅ）は特定の入力用部材により入力がなされる状態を示す図であり、（ｆ）は特定の入力用部材と１本の指とを用いて入力がなされる状態を示す図である。
【図８】図１に示す入力システムの動作を説明するフローチャートである。
【図９】本発明の第２の実施形態に係る入力システムを示す図である。
【図１０】入力用部材の変形例を示し、（ａ）は入力用部材の変形例を正面から示す図であり、（ｂ）は（ａ）における矢印Ｄ−Ｄ方向から入力用部材の変形例を示す図である。
【発明を実施するための形態】
【００２９】
次に本発明の実施形態を図面に基づいて説明する。
図１には、本発明の第１の実施形態に係る入力システム１０が示されている。入力システム１０は、入力装置として用いられている携帯型タブレット装置１００と、入力用部材として用いられているペン３００とを有する。ペン３００は、スタイラスと称されることがある。
【００３０】
図２には、携帯型タブレット装置１００が示されている。携帯型タブレット装置１００は、タブレット装置本体１１２を有する。タブレット装置本体１１２の上向きの面には装着用開口部１１４形成されていて、装着用開口部１１４に嵌め込むようにして、画面を表示する表示部として用いられている液晶表示装置１２０が装着されている。また、携帯型タブレット装置１００は、タッチパネル１３０を有する。
【００３１】
タッチパネル１３０は、検知部として用いられているとともに、データを入力するための入力部として用いられていて、液晶表示装置１２０に重なるように液晶表示装置１２０の下側に配置されている。利用中のアプリケーションを操作するためのアイコン等が液晶表示装置１２０に表示され、タッチパネル１３０のこれらのアイコンに重なる位置を操作者が操作することのより、アプリケーションを操作するための入力がなされる。より具体的には、タッチパネル１３０の表示されているアイコンに重なる位置を操作者が例えば操作者自身の指やペン３００（図１を参照）で触れると、タッチパネル１３０が指やペン３００の位置を検知する。
【００３２】
タッチパネル１３０は、少なくとも２箇所以上の複数箇所を同時に検知することができる。例えば、ペン３００等の２本のペンが同時にタッチパネル１３０に接触した場合、タッチパネル１３０は２本のペンの位置をそれぞれ独立して検知することができる。また、例えば、ペン３００等の１本のペンと１本の指とがタッチパネル１３０に接触した場合、タッチパネル１３０は、１本のペンと１本の指との位置をそれぞれ独自に検知することができる。また、例えば、２本の指がタッチパネル１３０に接触した場合、タッチパネル１３０は、２本の指の位置を同時に検知することができる。このように、複数の位置を同時に検知することができるタッチパネルは、一般にマルチタッチ対応タイプのタッチパネルと称されている。
【００３３】
また、タッチパネル１３０は、同時に検知することができる複数の位置の間の最小距離が、後述する凸部３２２（図４を参照）であって互いに隣接するもの同士の予め定められた間隔ｄ（図４を参照）よりも短くなっている。
【００３４】
タッチパネル１３０としては、例えばペンや指等が接触等することによる静電容量の変化を捉えて、ペンや指等の位置を検出する静電容量方式のタッチパネルを用いることができる。タッチパネル１３０として静電容量方式のタッチパネルを用いた場合、例えばペン３００等が接触することによる静電容量の変化により位置を検出することに替えて又は静電容量の変化により位置を検出することと併せて、ペン３００や指等が接近することによる静電容量の変化を捉えて、位置を検出するようにしてもよい。また、タッチパネル１３０として、静電容量方式のタッチパネルを用いることに替えて、少なくとも２箇所以上の複数箇所を同時に検知することができる他の方式のタッチパネルを用いても良い。
【００３５】
また、携帯型タブレット装置１００は、電源スイッチ１４０を有する。電源スイッチ１４０は、携帯型タブレット装置１００の電源をオンにし、オフにするために用いられ、タブレット装置本体１１２の例えば上向きの面から操作することができるようにタブレット装置本体１１２に取り付けられている。
【００３６】
また、携帯型タブレット装置１００は、ＣＣＤカメラ１５０を有する。ＣＣＤカメラ１５０は、撮影装置として用いられていて、タブレット装置本体１１２の例えば上向きの面に装着さていて、タブレット装置本体１１２に形成された撮影用開口部１１６を介して、タブレット装置本体１１２外側を撮影することができるようになっている。
【００３７】
また、携帯型タブレット装置１００は、電装基板２００を有する。電装基板２００は、例えば液晶表示装置１２０の下側に配置されていて、後述するシステムコントローラ２１０（図３を参照）、メモリ２２０（図３を参照）、制御部２３０（図３を参照）等が装着されている。
【００３８】
図３は、携帯型タブレット装置１００の制御部の構成を示すブロック図である。図３に示すように、携帯型タブレット装置１００は、システムコントローラ２１０、メモリ２２０及び制御部２３０を有する。
【００３９】
システムコントローラ２１０は、ＣＰＵ（Central Processing Unit：中央処理装置）を有し、予め定められた制御プログラムを実行することにより携帯型タブレット装置１００全体の動作を制御する。
【００４０】
メモリ２２０は、ＲＡＭ（Random Access Memory）とＲＯＭ（Read Only Memory）とを有し、さらには例えばフラッシュメモリからなる二次記憶部を有する。ＲＡＭは各種プログラムの実行時のワークエリア等として用いられ、例えば揮発性の記憶素子を用いることができる。ＲＯＭは、各種プログラム、各種パラメータ、各種テーブル情報等を予め記憶しておくために用いられている。二次記憶部は、電源スイッチ１４０が切られても保持しなければならない各種情報を記憶するために用いられていて、例えば不揮発性の記憶媒体を用いることができる。
【００４１】
制御部２３０は、システムコントローラ２１０と同様にＣＰＵを有し、液晶表示装置１２０、タッチパネル１３０、電源スイッチ１４０、ＣＣＤカメラ１５０が接続されている。そして、制御部２３０には、ＣＣＤカメラ１５０、電源スイッチ１４０及びタッチパネル１３０からの入力がなされ、制御部２３０によりＣＣＤカメラ１５０、液晶表示装置１２０及びタッチパネル１３０が制御される。
【００４２】
より具体的には、制御部２３０は、システムコントローラ２１０からの指示により、メモリ２２０から読み出したプログラム、パラメータ、テーブル情報等に基づいて、タッチパネル１３０に対する操作者による操作の把握をしたり、例えば画像、文字、図柄、記号等のメモリ２２０から読み出した情報を液晶表示装置１２０に表示をさせたり、タッチパネル１３０に対するユーザの操作に応じて、画像、文字、図柄、記号等の情報を液晶表示装置１２０へ表示させたりする。
【００４３】
また、制御部２３０は、タッチパネル１３０が２箇所以上の位置を検知した場合に、これら２箇所以上の位置を構成する各位置の間の距離を演算することができ、タッチパネル１３０が２箇所以上の位置を検知した場合に、これら２箇所以上の各位置を構成する各位置の間の距離を演算する演算手段として用いられている。また、制御部２３０は、タッチパネル１３０によって検知された２箇所以上位置を構成する各位置の間の距離と、後述する凸部３２２（図４を参照）であって互いに隣接するもの同士の予め定められた間隔ｄ（図４を参照）とを比較して、入力がペン３００によってなされたものであるのか否かを判別することができ、タッチパネル１３０によって検知された２箇所以上の位置を構成する各位置の間の距離と間隔ｄとを比較して、ペン３００による入力がなされた否かを判別する判別手段として用いられている。
【００４４】
また、制御部２３０は、タッチパネル１３０によって検知された２箇所以上位置を構成する各位置の間の距離が、凸部３２２であって互いに隣接するもの同士の予め定められた間隔ｄ以下である場合にペン３００による入力がなされたと判別し、タッチパネル１３０によって検知された２箇所以上位置を構成する各位置の間の距離が、少なくとも２つ以上の凸部３２２であって互いに隣接するもの同士の予め定められた間隔ｄよりも大きい場合にペン３００以外による入力がなされたと判別する判別手段として用いられている。
【００４５】
さらには、制御部２３０は、タッチパネル１３０が１箇所の位置のみを検知した場合に、ペン３００以外による入力がなされたと判別することができ、タッチパネル１３０が１箇所の位置のみを検知した場合にペン３００以外による入力がなされたと判別する判別手段として用いられている。
【００４６】
図４には、ペン３００が示されている。ペン３００は、操作者が把持する部分である把持部３１０を有する。把持部３１０は、略円柱形状であって、最も太い部分の太さ（直径）Ｄが１５ｍｍ以下となっている。また、把持部３１０の一端部側は、端部に近づくにつれて直径が小さくなるテーパ形状となっている。また、ペン３００は、複数の凸部形成部材３２０と、これらの凸部形成部材３２０を支持する支持部材３３０とを有する。なお、図４（ａ）において斜線で示される領域はペン３００の断面形状を表している。
【００４７】
支持部材３３０は、例えば略半球形状であって、把持部３１０のテーパが形成された側の端部に装着されている。また、凸部形成部材３２０は、例えば略球形であって、例えば半分の部分が支持部材３３０に埋め込まれるようにして支持部材３３０に支持され、支持部材３３０に固定されている。そして、凸部形成部材３２０の支持部材３４０から突出した部分が凸部３２２を形成する。凸部３２２は、タッチパネル１３０により検知可能な被検知部として用いられている。
【００４８】
凸部３２２が予め定められた均一な間隔ｄで形成されるように、凸部形成部材３２０は、支持部材３３０に対して均一に埋め込まれている。ここで、間隔ｄとは、互いに隣り合う凸部３２２の各頂点間の距離とする。間隔ｄは５ｍｍ以下であることが望ましく、この実施形態においては４ｍｍに定められている。凸部形成部材３２０は、周囲とは導電性が異なる材料、即ち少なくとも支持部材３３０とは導電率が異なる材料から形成されていてもよいし、支持部材３３０と導電率が同じ材料から形成されていてもよい。ここで、凸部形成部材３２０を支持部材３３０と導電率が等しい材料から形成する場合、凸部形成部材３２０と支持部材３３０とを別体として形成することに替えて、凸部形成部材３２０と支持部材３３０とを一体として形成してもよい。凸部形成部材３２０と支持部材３３０とを一体に形成する具体的な方法としては、例えば、形成しようとする形状の反対形状を有する型（不図示）に、凸部３２２と支持部材３３０とを形成する材料である例えばゴム等を押し付け、上述の反対形状をゴム等の材料に転写するとの方法を用いることができる。凸部３２２がタッチパネル１３０（図２を参照）に接触又は接近することによる静電容量の変化をタッチパネル１３０が捉えることにより、タッチパネル１３０による検知が可能となっている。
【００４９】
ペン３００は、複数の凸部３２２を有するため、例えば後述するペン４００（図６（ａ）を参照）等の他のペンと容易に識別することができる。また、ペン３００は、把持部３１０の太さの最大部Ｄが１５ｍｍ以下であるので、把持しやすく操作しやすい。また、ペン３００は、凸部３２２が５ｍｍ以下の間隔で配置されているため、５ｍｍよりも大きい間隔で凸部３２２が形成されていた場合と比較して、タッチパネル１３０への入力の精度を向上させることができる。
【００５０】
図５には、ペン３００によりタッチパネル１３０に入力がなされ際におけるペン３００とタッチパネル１３０との接触状態が示されている。図５に示されているように、ペン３００により入力がされる場合は、必ず２箇所以上の凸部３２２がタッチパネル１３０に接触する。このため、ペン３００により入力がなされる場合は、必ず２箇所以上の位置がタッチパネル１３０によって同時に検知される。
【００５１】
支持部材３３０は、先述のように半円形状であって、端部へ向けて細くなるテーパ形状の把持部３１０の端部に装着されている。このため、図５の矢印Ｃに示す方向へとペン３００をタッチパネル１３０に対して傾けて接触させたとしても、複数の凸部３２２がタッチパネル１３０に接触した状態となる。このため、操作者が文字等を入力する場合に、ペン３００を傾けた状態としてペン３００をタッチパネル１３０に接触させた場合であっても、複数の凸部３２２がタッチパネル１３０に接触した状態となる。なお、図５のにおいて斜線で示される領域はペン３００の断面形状を表している。
【００５２】
図６及び図７には、携帯型タブレット装置１００のタッチパネル１３０に対して入力がなされる様々な形態が示されている。図６（ａ）には、これまでに説明をしたペン３００とは異なるペン４００を用いてタッチパネル１３０に入力がなされている状態が示されている。ペン３００を用いて入力がなされる場合、少なくとも２つ以上の凸部３２２がタッチパネル１３０に接触し、タッチパネル１３０に接触する少なくとも２箇所以上の凸部３２２がタッチパネル１３０によって同時に検知された（図５参照）。これに対して、ペン４００は、被検知部として用いられている凸部４２２を１つしか有せず、タッチパネル１３０に対して入力がなされる場合、１個の凸部４２２だけがタッチパネル１３０に接触し、凸部４２２が接触する１箇所の場所だけがタッチパネル１３０によって検知される。
【００５３】
また、ペン３００においては、凸部３２２は、凸部形成部材３２０が支持部材３３０を介して把持部３１０に装着されることで形成されたり、支持部材３３０と同じ材料で一体として形成されたりしたことに対して、ペン４００においては、凸部形成部材４２０が直接に把持部４１０に装着されることによって凸部４２２が形成されている。
【００５４】
図６（ｂ）には、１本の指を用いてタッチパネル１３０に入力がなされる状態が示されている。このように１本の指で入力がなされる場合、指が接触する１箇所の位置だけがタッチパネル１３０によって検知される。
【００５５】
図６（ｃ）には、２本の指を用いてタッチパネル１３０に入力がなされる状態が示されている。このように２本の指で入力がなされる場合、指が接触する２箇所の位置が同時にタッチパネル１３０によって検知される。
【００５６】
図６（ｄ）には、ペン４００と１本の指とを用いてタッチパネル１３０に入力がなされる状態が示されている。このようにペン４００と指１本とを用いてタッチパネル１３０に入力がなされる場合、凸部４２２が接触する位置と１本の指が接触する位置との２箇所が同時にタッチパネル１３０によって検知される。
【００５７】
図７（ｅ）には、ペン３００を用いてタッチパネル１３０に入力がなされる状態が示されている。この場合、先述のように２つ以上の凸部３２２がタッチパネル１３０に接触するため、凸部３２２がタッチパネル１３０に接触する２箇所以上の位置がタッチパネル１３０によって同時に検知される。
【００５８】
図７（ｆ）には、ペン３００と１本の指とを用いてタッチパネル１３０に入力がなされる状態が示されている。この場合、凸部３２２がタッチパネル１３０に接触する２箇所以上の位置と、１本の指がタッチパネル１３０に接触する１つの位置とを合計した少なくとも３箇所以上の位置がタッチパネル１３０により同時に検知される。
【００５９】
図８には、入力システム１０の動作が説明されている。より具体的には、タッチパネル１３０への入力に用いられた入力用部材がペン３００であるか否かを判別する動作が説明されている。この動作は、メモリ２２０の例えばＲＯＭに記憶されたプログラムに基づいて、主として制御部２３０によりなされる。以下の説明において、マルチタッチとはタッチパネル１３０に複数の被検知部（凸部３２２、凸部４２２、指等）が接触することを指し、シングルタッチとはタッチパネル１３０に単一の被接触部が接触することを指す。
【００６０】
図８に示すように、一連の制御が開始されると、ステップＳ１０において、制御部２３０は、タッチパネル１３０に対してマルチタッチがなされたか否かに基づいて、マルチタッチがなされた場合にはステップＳ２０に進み、マルチタッチではない場合は、ペン３００以外によるシングルタッチがなされたと判別する。先に説明をした入力の形態を例として説明をすると、図６（ｃ）、図６（ｄ）、図７（ｅ）及び図７（ｆ）のそれぞれの場合はステップＳ２０に進み、図６（ａ）、図６（ｂ）の各場合においてはペン３００以外によるシングルタッチがなされたと制御部２３０が判別する。
【００６１】
ステップＳ２０において、制御部２３０は、複数の被検知部（凸部３２２、凸部４２２、指等）の間の距離を演算するとともに、演算された距離の中に間隔ｄ以下のものがあるか否か、すなわち演算された距離の中に４ｍｍ以下のものがあるか否かに基づいて、演算された距離の中に間隔ｄ以下のものがある場合にペン３００を用いた入力がなされたと判別し、演算された距離の中に間隔ｄ以下のものがない場合に、ペン３００を用いないマルチタッチがなされたと判別する。先に説明をした入力の形態を例として説明をすると、図７（ｅ）、図７（ｆ）の各場合においてはペン３００を用いた入力がなされたと判別し、図６（ｃ）、図６（ｄ）の各場合においてはペン３００を用いないマルチタッチがなされたと判別する。
【００６２】
入力システム１０においては、複数の操作者によって入力システム１０の操作がなされる場合に、特定の操作者が專らペン３００を用いて操作をし、他の操作者がペン４００等を用いて操作をすることにより、特定の操作者による入力であるのか他の操作者による入力であるかを判別することができるようになる。例えば、入力システム１０に対して、医師とＭＲ（medical representative、医薬情報担当者）とによる操作がなされる場合、ＭＲが專らペン３００を用いて操作をし、医師が例えばペン４００等のペン３００以外を用いて操作をすることで、ＭＲによる操作を医師による操作とを判別することができるようになる。
【００６３】
図９には、本発明の第２の実施形態に係る入力システム１０が示されている。先述の第１の実施形態に係る入力システム１０においては、入力装置として携帯型タブレット装置１００が用いられ、携帯型タブレット装置１００は、表示装置として用いられている液晶表示装置１２０を有していた。これに対して、この第２の実施形態に係る入力システム１０は、携帯型タブレット装置１００に替えてグラフィックタブレット装置５００を入力装置として有している。グラフィックタブレット装置５００は、液晶表示装置１２０に相当するような表示装置は有せず、例えばパーソナルコンピュータ等に接続して用いられ、パーソナルコンピュータ等への入力に用いられる。また、この場合、パーソナルコンピュータ等が表示装置を有していたり、パーソナルコンピュータ等に表示装置が接続されていたりすることが一般的である。
【００６４】
図１０には、ペン３００の変形例が示されている。先述の本発明の実施形態に係るペン３００は、被検知部として用いられている複数の凸部３２２を有していた。これに対して、この変形例に係るペン３００は、凸部３２２に替えて、被検知部として用いられている複数の被検知面３４２を有している。これらの複数の被検知面３４２は、支持部材３３０にから突出しておらず、支持部材３３０とともに例えば１つの半球面を形成している。
【００６５】
被検知面３４２は、被検知面形成部材３４０が支持部材３３０に埋め込まれるようにして形成されている。被検知面形成部材３４０は、少なくとも支持部材３３０とは導電率が異なる材料から形成されていて、タッチパネル１３０に接触又は接近することによる静電容量の変化をタッチパネル１３０が捉えることにより、タッチパネル１３０による検知が可能となっている。
【００６６】
また、先述の本発明の実施形態に係るペン３００においては、複数の凸部３２２の予め定められた間隔ｄは、互いに隣り合う凸部３２２の各頂点間の距離とされていた。これに対して、この変形例に係るペン３００においては互いに隣り合う被検知面３４２の最短距離が、複数の被検知面３４２の予め定められた間隔ｄとされている。この変形例においても、間隔ｄは５ｍｍ以下であることが望ましく、この実施形態においては間隔ｄが４ｍｍに定められている。
【００６７】
この変形例に係るペン３００は、被検知面形成部材３４０が凸部形成部材３２０と比較して外部からの力を受けにくく、被検知面形成部材３４０が凸部形成部材３２０と比較して支持部材３３０から離間しにくい。このため、この変形例に係るペン３００は、先述の本発明の実施形態に係るペン３００よりも破損が生じにくい。この変形例に係るペン３００は、先述の第１の実施形態に係る入力システム１０と先述の第２の実施携形態に係る入力システム１０との双方に用いることができる。なお、図１０（ａ）において斜線で示される領域はペン３００の断面形状を表している。
【産業上の利用可能性】
【００６８】
以上述べたように、本発明は、入力システム、入力装置、入力用部材及びプログラムに適用することができる。
【符号の説明】
【００６９】
１０・・・入力システム
１００・・携帯型タブレット装置
１２０・・・液晶表示装置
１３０・・・タッチパネル
２１０・・・システムコントローラ
２２０・・・メモリ
２３０・・・制御部
３００・・・ペン
３１０・・・把持部
３２２・・・凸部
３４２・・・被検知面
５００・・グラフィックタブレット装置
【図１】
2015082226.tif 000003
【図２】
2015082226.tif 000004
【図３】
2015082226.tif 000005
【図４】
2015082226.tif 000006
【図５】
2015082226.tif 000007
【図６】
2015082226.tif 000008
【図７】
2015082226.tif 000009
【図８】
2015082226.tif 000010
【図９】
2015082226.tif 000011
【図１０】
2015082226.tif 000012